【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
画像形成装置の定着面上の離型剤を再分配するための装置であって、
前記画像形成装置によりその上に形成された画像を有する媒体シートに接触するための定着面であって、前記定着面は進行方向に動く、定着面と、
前記定着面上の前記離型剤を第１の定着後の分布から第２の分布に再分配するための弾力的ブレードであって、前記弾力的ブレードは接触領域で前記定着面上の前記離型剤に接触し、前記離型剤を前記定着面に押し付けて、前記離型剤を前記第１の定着後の分布から前記第２の分布に再分配する、弾力的ブレードと、
前記弾力的ブレードの下に配置され、前記弾力的ブレードによって前記定着面から除去された離型剤を受け取る受け皿と、
を含み、
前記弾力的ブレードは、前記離型剤を、前記第１の定着後の分布よりも前記第２の分布の方が前記定着面全体にわたってより均一であるように再分配するようになされ、
前記弾力的ブレードは、前記装置の動作中に、係合位置と離脱位置との間を移動可能であり、
前記接触領域は、横断方向に対して非平行な方向に延びており、前記横断方向は、前記進行方向に垂直である、装置。
【請求項２】
前記定着面が定着ベルトの表面である、請求項１に記載の装置。
【請求項３】
前記定着面が、前記横断方向の全幅と、前記全幅の一部分であり離型剤を塗布する油塗布幅と、を有し、
前記接触領域が前記定着面の前記油塗布幅全体に実質的に広がっている、請求項２に記載の装置。
【請求項４】
前記接触領域が文書間領域を含んでいる、請求項３に記載の装置。
【請求項５】
前記接触領域が外部用紙搬送路領域を含んでいる、請求項３に記載の装置。
【請求項６】
前記定着面が、前記横断方向の全幅と、前記全幅の一部分であり離型剤を塗布する油塗布幅と、を有し、
前記接触領域が前記定着面の前記全幅全体に実質的に広がっている、請求項２に記載の装置。
【請求項７】
画像形成装置であって、
その上に形成された画像を有する媒体シートを搬送するための媒体搬送経路と、
進行方向に動き、前記媒体シートに接触するための定着面と、
前記定着面上の離型剤を第１の定着後の分布から第２の分布に再分配するための弾力的ブレードとであって、前記弾力的ブレードは接触領域で前記定着面上の前記離型剤に接触し、前記離型剤を前記定着面に押し付けて、前記離型剤を前記第１の定着後の分布から前記第２の分布に再分配する弾力的ブレードと、
前記弾力的ブレードの下に配置され、前記弾力的ブレードによって前記定着面から除去された離型剤を受け取る受け皿と、
を含み、
前記弾力的ブレードは、前記離型剤を、前記第１の定着後の分布よりも前記第２の分布の方が前記定着面全体にわたってより均一であるように再分配するようになされ、
前記弾力的ブレードは、前記装置の動作中に、係合位置と離脱位置との間を移動可能であり、
前記接触領域は、横断方向に対して非平行な方向に延びており、前記横断方向は、前記進行方向に垂直である、装置。
【請求項８】
前記定着面が定着ベルトの表面であり、
前記定着面が、前記横断方向の全幅と、前記全幅の一部分であり離型剤を塗布する油塗布幅と、を有し、
前記接触領域が前記定着面の前記油塗布幅全体に実質的に広がっている、請求項７に記載の装置。
【請求項９】
前記定着面が定着ベルトの表面であり、
前記定着面が、前記横断方向の全幅と、前記全幅の一部分であり離型剤を塗布する油塗布幅と、を有し、
前記接触領域が前記定着面の前記全幅全体に実質的に広がっている、請求項７に記載の装置。
【請求項１０】
画像形成装置の定着面上の離型剤を再分配する方法であって、
前記画像形成装置によりその上に形成された画像を有する媒体シートに接触するための定着面を提供するステップと、
前記定着面を進行方向に動かすステップと、
弾力的ブレードを、前記定着面と接触していない離脱位置から前記定着面上に存在する離型剤に接触する係合位置へと、前記弾力的ブレードが前記定着面上の前記離型剤を第１の定着後の分布から第２の分布に再分配するように動かすステップであって、前記弾力的ブレードは接触領域で前記定着面上の前記離型剤に接触し、前記離型剤を前記定着面に押し付けて、前記離型剤を前記第１の定着後の分布から前記第２の分布に再分配する、ステップと、
前記弾力的ブレードによって前記定着面から除去された前記離型剤を、前記離型剤を受け取るように前記弾力的ブレードの下に配置された受け皿内に集めるステップと、
を含み、
前記弾力的ブレードは、前記離型剤を、前記第１の定着後の分布よりも前記第２の分布の方が前記定着面全体にわたってより均一であるように再分配し、
前記接触領域は、横断方向に対して非平行な方向に延びており、前記横断方向は、前記進行方向に垂直である、方法。
【手続補正２】
【補正対象書類名】明細書
【補正対象項目名】００２１
【補正方法】変更
【補正の内容】
【００２１】
本開示の例示的実施形態は、内部ロール（例えば、ロール１４０または１５０など）の硬質表面上で定着面１１０を支持した状態で定着面１１０上を引きずるようにブレード３１０を位置付ける。しかしながら、他の実施形態は、内部ロールの硬質表面上で定着面１１０を支持していない位置にブレード３１０を位置付けることができる。ブレード３１０により除去された離型剤は受け皿２１０内に集めることができ、その後、油システムに戻すことができる。油の戻りは、例えば、ラムへ、油つぼへ、または別の廃油つぼへ入れられることができる。定着面１１０に対して異なる方向のＴ−ブレードを使用できる。例えば、図１の位置Ａは油がブレードエッジ３２０、３３０から、受け皿２１０の中に直接流れ込むことを可能にして、紙繊維がブレード３１０上にたまるのを防止するのに役立つであろう。図１の位置Ｂはブレード３１０上に油を集め、油がブレード３１０に沿って受け皿２１０の中に流れ込むようにさせるためにブレード３１０はクロスプロセス方向に傾斜していてもよい。しかしながら、紙繊維は位置Ｂで示す方向のブレード３１０上に非常に集まりやすいであろう。ブレードアセンブリ３００のために選択された方向に応じて、ブレードエッジ３２０、３３０は定着面１１０に平行か、またはわずかに傾斜していてもよい。ブレードエッジ３２０、３３０の傾斜位置は、油がブレード３１０に沿って流れるようにすることができる上述の傾斜を提供するのに有利である可能性がある。
【手続補正３】
【補正対象書類名】明細書
【補正対象項目名】００２２
【補正方法】変更
【補正の内容】
【００２２】
上述のように、本開示の実施形態は、定着ロールを有する装置内でも、定着ベルトを用いる装置（図示の実施形態のような）内でも使用できる。しかしながら、定着ベルトは定着ロールよりも長い周囲長さを通常有しているため、定着ベルトは装置２００を有利に設置できる、より多くの位置を提供する。定着ベルトは、ブレード３１０のようなブレードが、受け皿２１０のような回収受け皿の上方に位置するように装置２００を設置できる、より多くの位置（定着ロールよりも）を提供する。また、大直径を有するロール１２０、１４０、１５０のような１つ以上のロールを提供することにより、装置２００を設置でき、かつ装置２００を受け皿２１０のような受け皿の上方にさらに位置付けることができる増加した領域を提供する。